(57)【要約】【課題】庫内灯の色が任意のタイミングで変更可能な冷蔵庫を提供すること、また、庫内灯の色を好みの色に変更することができる冷蔵庫を提供すること。【解決手段】ドアの開閉状態を検出するドアスイッチ４と、ドアスイッチ４の開閉状態により点灯／消灯する庫内灯３を備える冷蔵庫において、庫内灯３を構成する異なる色の複数の発光源と、庫内灯３の色を変更指示する操作パネル６と、操作パネル６の変更指示に従って複数の発光源の動作を制御する制御装置５とを備えた冷蔵庫。【選択図】図２
2008267739.tif 000002
【特許請求の範囲】
【請求項１】
ドアの開閉状態を検出するドアスイッチと、該ドアスイッチの開閉状態により点灯／消灯する庫内灯を備える冷蔵庫において、
前記庫内灯を構成する異なる色の複数の発光源と、
前記庫内灯の色を変更指示する操作部と、
前記操作部の変更指示に従って前記複数の発光源の動作を制御する制御装置とを、
備えたことを特徴とする冷蔵庫。
【請求項２】
前記異なる色の複数の発光源が３原色ＬＥＤであり、該３原色ＬＥＤの各色の組み合わせに応じて、前記庫内灯の色を決定することを特徴とする請求項１記載の冷蔵庫。
【請求項３】
現在選択している前記庫内灯の色情報を庫外の表示部に表示することを特徴とする請求項１または２のいずれかに記載の冷蔵庫。
【請求項４】
庫内温度の調節や庫内温度表示を行うための操作パネルを備え、現在選択している前記庫内灯の色と同じ色で前記操作パネルを点灯することを特徴とする請求項１または２のいずれかに記載の冷蔵庫。
【請求項５】
冷蔵庫の運転状態を確認するためのサービスモード中は、前記庫内灯の色を専用の色に変更することを特徴とする請求項１〜４のいずれかに記載の冷蔵庫。
【請求項６】
冷蔵庫の運転モードに合わせて前記庫内灯の色を変更することを特徴とする請求項１〜５のいずれかに記載の冷蔵庫。
【発明の詳細な説明】
【技術分野】
【０００１】
この発明は、冷蔵庫に関するものである。
【背景技術】
【０００２】
従来の冷蔵庫には、庫内灯に３原色ＬＥＤを備え、庫内温度の温度帯別に庫内灯の色を変更したり、扉が長時間開いていた場合に庫内灯の色を変更したりするものがあった（例えば、特許文献１）。
【特許文献１】特開２００４−２８６３３３号公報（第１図など）
【発明の開示】
【発明が解決しようとする課題】
【０００３】
特許文献１のような従来の冷蔵庫では、上記のように、庫内温度や扉開時間に応じて庫内灯の色を変更している。しかし、庫内灯の色の変更タイミングは、庫内温度変化があった場合か、扉が長時間開いた場合に限定されており、ユーザーが好みのタイミングでその色を変更することができなかった。また、庫内灯の色は予め設定されており、ユーザーが好みの色に自由に変更することができなかった。
【０００４】
この発明は、上記のような課題を解決するためになされたもので、庫内灯の色が任意のタイミングで変更可能な冷蔵庫を提供することを目的とする。
また、庫内灯の色を好みの色に変更することができる冷蔵庫を提供することも目的とする。
【課題を解決するための手段】
【０００５】
この発明の冷蔵庫は、ドアの開閉状態を検出するドアスイッチと、該ドアスイッチの開閉状態により点灯／消灯する庫内灯を備える冷蔵庫において、前記庫内灯を構成する異なる色の複数の発光源と、前記庫内灯の色を変更指示する操作部と、前記操作部の変更指示に従って前記複数の発光源の動作を制御する制御装置とを備えたものである。
また、前記異なる色の複数の発光源が３原色ＬＥＤであり、該３原色ＬＥＤの各色の組み合わせに応じて、前記庫内灯の色を決定するものである。
【発明の効果】
【０００６】
この発明の冷蔵庫によれば、庫内灯の色を、任意のタイミングで変更することができ、ユーザーの庫内灯色に対する満足度をより高めることができるという効果を奏する。
また、３原色ＬＥＤの各色の組み合わせにより、庫内灯の色を任意の色に設定することができるという効果も奏する。
【発明を実施するための最良の形態】
【０００７】
実施の形態１．
図１はこの発明の実施の形態１に係る冷蔵庫の主な構成を示す概略図、図２はこの発明の実施の形態１に係る冷蔵庫の庫内灯の動作に関わるブロック図、図３はこの発明の実施の形態１に係る冷蔵庫の庫内灯の点灯／消灯タイミングを示したタイムチャート、図４はこの発明の実施の形態１に係る冷蔵庫の庫内灯を構成する発光源の点灯／消灯タイミングの一例を示したタイムチャートである。
図１に示すように、冷蔵庫１の貯蔵室２の内部には庫内を照らすための庫内灯３を取り付けている。また、貯蔵室２にはドアスイッチ４を取り付けており、貯蔵室扉２Ａの開閉状態を検出するために使用している。また、貯蔵室扉２Ａには、庫内温度の設定、庫内温度の表示、製氷モードの設定や表示などを行うための操作パネル６を、そして冷蔵庫１の背面には冷蔵庫１の各種動作を制御する制御装置（制御基板）５を取り付けている。
【０００８】
図２に示すように、制御装置５はマイコン９を搭載しており、冷蔵庫１に取り付けたアクチュエータ（図示せず）を制御することにより庫内温度をコントロールしている。制御装置５は、操作パネル６、ドアスイッチ４及び庫内灯３に接続されており、また、制御装置５は、庫内灯３のＯＮ／ＯＦＦを行うための駆動回路１０ａ〜１０ｃを備えている。
操作パネル６上には、庫内温度の設定を行うためのスイッチ７ａ〜７ｃや、庫内温度やエラーコードの表示を行うための液晶表示装置（ＬＣＤ）などからなる表示部８を設けている。スイッチ７ａ〜７ｃの入力状態は制御装置５上のマイコン９に入力し、表示部８はマイコン９の指示により庫内温度表示やエラーコード表示などを行っている。
【０００９】
図３にドアスイッチ４の開／閉状態と庫内灯３の点灯／消灯状態の関係をタイムチャートで示す。マイコン９は、ドアスイッチ４の開閉状態情報を受け取り、ドアスイッチ４が開の場合に庫内灯３を点灯し、ドアスイッチ４が閉の場合に庫内灯３を消灯している。
庫内灯３を構成する発光源には各種の光源が利用できるが、ここでは赤色、緑色、青色の各色光を発する３つのチップを有した３原色ＬＥＤを使用している。この３原色ＬＥＤは、マイコン９からの指令により、赤色、緑色、青色のチップのうち、どのチップを通電するか決定される。例えば、赤色チップのみ通電したい場合は、マイコン９が駆動回路１０ａをＯＮ、駆動回路１０ｂをＯＦＦ、駆動回路１０ｃをＯＦＦすることで実現できる。このようにして、駆動回路１０ａ〜１０ｃのＯＮ／ＯＦＦの組み合わせ（７つの組み合わせが可能）、つまり赤色、緑色、青色それぞれのチップの点灯／消灯の組み合わせにより、７色の表現が可能となっている。
【００１０】
図４はドアスイッチ４の開／閉状態と駆動回路１０ａ〜１０ｃのＯＮ／ＯＦＦ状態の関係を示すタイムチャートである。図４において、ドアスイッチ４の開閉状態が「閉」の場合は、駆動回路１０ａ〜１０ｃはすべてＯＦＦとする。これにより、貯蔵室扉２Ａが閉まっている場合、庫内灯３は消灯する。ドアスイッチ４の開閉状態が「開」の場合は、駆動回路１０ａ〜１０ｃのＯＮを許可する。例えば、庫内灯３を赤色で点灯したい場合、つまり赤色チップのみ通電したい場合は、ドアスイッチ４の開閉状態が「開」の場合のみ、駆動回路１０ａをＯＮとする。駆動回路１０ｂ、１０ｃについては、ドアスイッチ４の開閉状態が「開」であってもＯＮを禁止する。これにより、貯蔵室扉２Ａが開いている場合のみ、庫内灯３を赤色に点灯することができる。図４と同様に、他の６色での点灯も可能であり、実施の形態１は、予め設定した７色の色の中からユーザーが選択した色で庫内灯を点灯するようにしたものである。
【００１１】
次に上記実施の形態１における動作について説明する。図５はこの発明の実施の形態１における庫内灯動作のフローチャートである。なお、図中のＳ１などの「Ｓ」はステップを表している。
ステップ１では庫内灯色の初期値を設定する。ここでは例えば白色に設定をする。ステップ２では、それに基づいて駆動回路１０ａ〜１０ｃのＯＮ／ＯＦＦ条件を決定する。庫内灯３を白色で点灯したい場合、赤色、緑色及び青色すべてのチップを通電すればよく、つまり駆動回路１０ａ〜１０ｃをすべてＯＮすればよい。このため、駆動回路１０ａ〜１０ｃのＯＮ／ＯＦＦ条件を、「すべてＯＮ」とし、これを初期値とする。
ステップ３では庫内灯色変更のスイッチ操作があったかどうかを判定する。ユーザーは庫内灯３の色を変更したい場合、操作パネル６のスイッチ操作により、複数の庫内灯色の中から好みの色を選択することができる。ここでは予め、７色の設定を行えるようにしておき、ユーザーはこの７色の中から好みの色を選択する。ステップ３において、庫内灯色変更のスイッチ操作があったかどうかを判定する。例えば、操作パネル６上のスイッチ７ａを庫内灯色変更専用スイッチとし、スイッチ７ａを押す毎に選択している庫内灯色が赤→橙→緑…というように切り替わり、ユーザーが７色の中から好みの色を選択できるようにする。スイッチ７ａの操作があった場合はステップ４に進み、庫内灯色をユーザーが選択した色に変更する。ステップ３において、庫内灯色変更のスイッチ操作がなかった場合は、ステップ６に進む。
ステップ５では、ステップ４で決定した庫内灯色に従い、駆動回路１０ａ〜１０ｃのＯＮ／ＯＦＦ条件を決定し、ステップ６に進む。
ステップ６では貯蔵室扉２Ａの開閉状態を検出する。ドアスイッチ４による扉開閉状態の検出結果が開の場合は、ステップ７に進み、すでに決定済みの駆動回路１０ａ〜１０ｃのＯＮ／ＯＦＦ条件に従い庫内灯３を点灯する。ドアスイッチ４による扉開閉状態の検出結果が閉の場合は、ステップ８に進み駆動回路１０ａ〜１０ｃをＯＦＦとし、庫内灯３を消灯する。
以降はステップ３に戻り、庫内灯色変更のスイッチ操作があったかどうかを判定する。
【００１２】
以上のように、実施の形態１ではユーザーが操作パネル６のスイッチ操作により庫内灯３の色を好みのタイミングで、かつ好みの色に選択できるため、よりユーザーの製品に対する満足度を向上することができる。
なお、実施の形態１では、操作パネル６を貯蔵室扉２Ａの外側に取り付ける例を示したが、操作パネル６は貯蔵室２内に取り付けてもよい。操作パネル６を、庫内灯３を取り付けている貯蔵室２内に取り付けることで、実際に庫内灯の色を確認しながら庫内灯の色を変更することができるため、ユーザーは好みにあった色を確実に選択し易くなる。
【００１３】
実施の形態２．
実施の形態１では、スイッチ７ａを庫内灯色変更専用スイッチとする例を示したが、実施の形態２は、スイッチ７ａを温度調節など別の機能を実施するためのスイッチとして使用し、ある特別なモード中のみスイッチ７ａを庫内灯色変更スイッチとして使用することで、庫内灯色変更スイッチを別の機能のスイッチと兼用にしたものである。
実施の形態２では、図２において、例えば、スイッチ７ａを温度調節スイッチ、スイッチ７ｂを急冷スイッチとして割り当てる。スイッチ７ａとスイッチ７ｂを同時に一定時間、例えば３秒間長押しをした場合に、庫内灯色変更モードを開始する。庫内灯色変更モード開始後、一定時間、例えば３分間のみスイッチ７ａを庫内灯色変更スイッチとして使用することができるようにしたものである。
【００１４】
図６はこの発明の実施の形態２における庫内灯動作のフローチャートである。図６は、図５のフローチャートに対してステップ１１〜ステップ１３を追加したものである。ステップ１〜ステップ８については、図５と同じ処理であるため説明を省略する。
実施の形態２では、ステップ２で駆動回路１０ａ〜１０ｃの初期ＯＮ／ＯＦＦ条件を決定した後、ステップ１１に進み庫内灯色変更モード開始のスイッチ操作があったかどうか、ここではスイッチ７ａとスイッチ７ｂが同時に３秒長押されたかどうかを判定する。庫内灯色変更のスイッチ操作がなかった場合は、ステップ１１を繰り返し、庫内灯色変更モード開始のスイッチ操作があった場合は、ステップ１２に進む。ステップ１２では、一定時間、例えば３分が経過したかどうかを判定する。ステップ１２において３分が経過していない場合は、庫内灯色変更モード中とし、ステップ３に進む。庫内灯色変更モード中は、スイッチ７ａの役割を温度調節スイッチから庫内灯色変更スイッチに変更する。ステップ３〜ステップ８における庫内灯色決定方法、庫内灯点灯・消灯方法については、実施の形態１と同様である。ステップ１２において、３分が経過している場合には、ステップ１３に進み、庫内灯色変更モードを終了する。庫内灯色変更モード終了のタイミングで、スイッチ７ａの役割を庫内灯色変更スイッチから温度調節スイッチに変更する。   
【００１５】
以上のように、実施の形態２では、庫内灯色選択スイッチと温度調節など他の機能のスイッチを兼用としているため、スイッチの数を低減することができる。これにより、省スペース化が可能となるため、貯蔵室扉２Ａのデザインに関する操作パネル６の制約条件が緩和され、冷蔵庫デザインの自由度が向上するとともに、操作パネル６の部品点数低減によりコストの低減が図れる。
【００１６】
実施の形態３．
実施の形態１〜２では、予め設定した７色までの庫内灯色の中からユーザーが好みのものを選択するようにしたものであるが、実施の形態３では、選択可能な庫内灯色を、ユーザーの好みにより任意の色に選択できるようにしたものである。色の微調整は、赤色、緑色及び青色の各チップの通電電流をそれぞれ調整することで行う。通電電流の調整は、例えばマイコン９から駆動回路１０ａ〜１０ｃに対して方形波出力を行い、方形波出力１周期中のＯＮ時間（以降「ＤＵＴＹ」と称する）を変更することで行うことができる。
図７はこの発明の実施の形態３におけるＤＵＴＹの設定例を示す表である。赤色、緑色及び青色の各チップに対する通電電流を調整するため、各チップに対し予め複数のＤＵＴＹ、例えばＤＵＴＹの低いものからＤＵＴＹの高いものまで１０段階のＤＵＴＹを設定できるよう、段階とＤＵＴＹのテーブルを用意しておく。図７は、例えばＤＵＴＹ０％〜１００％までの中から、各チップ別に１０段階の任意のＤＵＴＹを設定可能にしている。
【００１７】
図８に実施の形態３によるドアスイッチ４の開閉状態と、庫内灯３の駆動回路１０ａ〜１０ｃ出力のタイムチャートを示す。図８は、例えば、赤色チップのＤＵＴＹを１００％、緑色チップのＤＵＴＹを２０％、青色チップのＤＵＴＹを６０％に設定した例を示す。駆動回路１０ａ〜１０ｃのＯＮ許可タイミングは、ドアスイッチ４の開閉状態が「開」の場合のみであり、実施の形態１の場合と同様である。
実施の形態３では、駆動回路１０ａ〜１０ｃのＯＮ許可タイミング中、駆動回路１０ａ〜１０ｃの方形波出力を行う。方形波出力の周期は、人間の目で見た場合にちらつきを感じない周期、例えば１ｍｓｅｃを選択し、１周期中の駆動回路１０ａ〜１０ｃのＯＮ時間を、選択したＤＵＴＹにより区別する。図８において、緑色チップのＤＵＴＹは２０％を選択しているため、１周期１ｍｓｅｃ中０．２ｍｓｅｃのみ駆動回路１０ｂのＯＮを許可し、残りの０．８ｍｓｅｃについてはＯＦＦをしている。同様に、青色チップのＤＵＴＹは６０％を選択しているため、ＯＮ／ＯＦＦ時間は０．６／０．４ｍｓｅｃである。また赤色チップのＤＵＴＹは１００％を選択しているため、駆動回路１０ａはＯＮを継続している。
【００１８】
図９はこの発明の実施の形態３における庫内灯動作のフローチャートである。図９において、ステップ２１では庫内灯色の初期値を設定する。各駆動回路１０ａ〜１０ｃのＤＵＴＹを、それぞれ１段階〜１０段階から選択し初期値とする。ステップ２２では、貯蔵室扉２Ａの開閉判定を行う。貯蔵室扉２Ａが開であった場合はステップ２３に進み、庫内灯３を点灯する。このときの庫内灯色は、ステップ２１で決定した初期ＤＵＴＹにより決定する。ステップ２２において、貯蔵室扉２Ａが閉であった場合は、ステップ２４に進み、庫内灯３を消灯する。
次にステップ２５において、赤色チップのＤＵＴＹ変更スイッチ操作があったかどうかを判定する。ここで、ユーザーは操作パネル６の操作により、各チップのＤＵＴＹを調整することができる。例えば、操作パネル６上のスイッチ７ａを赤色チップのＤＵＴＹ調整スイッチとし、スイッチを押すことにより赤色チップのＤＵＴＹを１段階〜１０段階の中から選択することができる。ここで、図７に示した段階とＤＵＴＹのテーブルを参照し、ユーザーが選択した段階から赤色チップのＤＵＴＹを決定する。赤色チップの場合と同様にスイッチ７ｂを緑色チップのＤＵＴＹ調整スイッチ、スイッチ７ｃを青色チップのＤＵＴＹ調整スイッチとすることで、３原色それぞれのＤＵＴＹを調整することができる。
ステップ２５において、赤色チップのＤＵＴＹ変更スイッチ操作があった場合は、ステップ２６に進み、赤色ＤＵＴＹをスイッチ操作により選択されたＤＵＴＹに変更する。ステップ２５において、赤色ＤＵＴＹ変更スイッチ操作がなかった場合は、ステップ２７に進む。
ステップ２７では、緑色チップのＤＵＴＹ変更スイッチ操作があったかどうかを判定する。赤色ＤＵＴＹ変更の場合と同様に、ステップ２７において緑色チップのＤＵＴＹ変更スイッチ操作があった場合はステップ２８に進み、緑色ＤＵＴＹをスイッチ操作による選択結果に変更する。ステップ２７において、緑色ＤＵＴＹ変更スイッチ操作がなかった場合は、ステップ２９に進む。
ステップ２９では、青色チップのＤＵＴＹ変更スイッチ操作があったかどうかを判定する。赤色及び緑色ＤＵＴＹ変更の場合と同様に、ステップ２９において青色チップのＤＵＴＹ変更スイッチ操作があった場合はステップ３０に進み、青色ＤＵＴＹをスイッチ操作による選択結果に変更する。ステップ２９において、青色ＤＵＴＹ変更スイッチ操作がなかった場合は、ステップ２２に戻り、以降のステップを繰り返す。
【００１９】
以上より、実施の形態３の方法では、ユーザーが赤色、緑色及び青色チップのＤＵＴＹの微調整が可能であるため、実施の形態１〜２と比較して、ユーザーが選択することができる庫内灯色の種類が多くなり、ユーザー好みの色により近づけることができる。
【００２０】
実施の形態４．
実施の形態４は、実施の形態１〜３において、ユーザーが選択した庫内灯３の色情報を操作パネル６の表示部８に表示するものである。
図１０は実施の形態１の庫内灯色選択結果を、庫外の操作パネル６の表示部８に表示した例である。「庫内温度」や「製氷モード」（通常製氷・急速製氷・製氷停止）状態の表示と同様に、「庫内灯色」の表示部を設ける。予め、庫内灯色の設定が可能な７色について、「赤」「緑」「青」など庫内灯色名の表示を可能にしておく。例えば、ユーザーが庫内灯色「橙」を選択している場合は、「庫内灯色」の７色の候補のうち、「橙」の表示のみが点灯するようにする。これにより、ユーザーが現在選択している庫内灯の色を、扉を開けることなく確認することが可能であるため、扉開回数を抑えることが可能であり、庫内の温度上昇を防止することができる。
【００２１】
図１１は実施の形態３の庫内灯色選択結果を操作パネル６の表示部８に表示した例である。ここでも、庫内温度や製氷モード（通常製氷・急速製氷・製氷停止）状態の表示と同様に、「庫内灯色」の表示部を設ける。「庫内灯色」の中には「赤」「緑」「青」の項目を設け、それぞれのチップのＤＵＴＹを１〜１０までの段階で表示する。例えば、赤色ＤＵＴＹが段階５、緑色ＤＵＴＹが段階３、青色ＤＵＴＹが段階７の場合、図１１に示すように、「赤」の項目に５本、「緑」の項目に３本、「青」の項目に７本のバーを表示し、バーの本数で各チップのＤＵＴＹを確認できるようにする。
【００２２】
これらの表示より、ユーザーは現在選択している庫内灯の色を確認若しくは予測することができる。実施の形態３では、設定可能な庫内灯色が多いため、微妙な色の違いを庫内灯色のみで判断するのが困難であるが、設定状態を定量的に確認可能にすることで、微妙な色の違いを区別することができ、ユーザーの庫内灯色に対する満足度を高めることができる。なお、仕様書などにおいて、「赤」「緑」「青」のＤＵＴＹの組み合わせによって出力される色の種類を明示しておくのが好ましい。
【００２３】
実施の形態５．
実施の形態４では、庫内灯色の選択結果に基づく色情報を操作パネル６上の表示部８に表示する例を示したが、実施の形態５では、庫内灯３に使用している３原色ＬＥＤを操作パネル６上の表示部８にも取り付けることにより、ユーザーが設定した庫内灯の色を、実際に出力させるようにしたものである。
図１２はこの発明の実施の形態５における操作パネルの例示図である。図１２では、操作パネル６上の表示部８をＬＣＤにて構成し、表示部８のバックライトとしてＬＥＤ１１を取り付ける。このＬＥＤ１１には、庫内灯に使用している３原色ＬＥＤと同じものを使用し、ユーザーが選択している庫内灯と同じ色で点灯できるようにしておく。
【００２４】
以上より、ユーザーは、実施の形態４に示した「橙」「紫」といった色の表現や、赤色、緑色、青色チップの通電率の段階表示と比較して、より具体的なイメージを持つことができるため、ユーザーが設定したい色を確実に設定することができる。
また、ユーザーが好んで選択した色で庫内灯だけではなく、操作パネル６も点灯することができるため、ユーザーの冷蔵庫に対する満足度をより高めることができる。
【００２５】
実施の形態６．
図１３はこの発明の実施の形態６における庫内灯動作のフローチャートである。図１３は、図５に示した実施の形態１によるフローチャートにステップ４１〜ステップ４５を追加したものである。
図１３は、ステップ１において、庫内灯色の初期値を例えば白色に決定し、ステップ２において駆動回路１０ａ〜１０ｃのＯＮ／ＯＦＦ条件を「すべてＯＮ」とするまでは、実施の形態１と同様である。
実施の形態６では、ステップ２の後、ステップ４１においてサービスモード中であるかどうかを判定する。ステップ４１でサービスモード中であると判定した場合は、ステップ４２において庫内灯の色をサービスモード専用の色、例えば赤に変更する。ステップ４３では、ステップ４２で決定した庫内灯色に従い、駆動回路１０ａ〜１０ｃのＯＮ／ＯＦＦ条件を決定する。
ここで、サービスモードとは、市場でサービスマンが冷蔵庫の運転状態を確認するための特殊モードであり、例えば、エラーコードを確認したり、強制的にアクチュエータを動作させたりするモードがある。サービスモードは、操作パネル６の表示部８にエラーコードの表示や、特殊モード中であることの表示を行う場合があるため、ユーザーはサービスモード中、庫内温度の確認や、設定温度の確認を行えない場合がある。また、サービスモードにより、アクチュエータを強制的に動作させている場合、サービスモード中に限りアクチュエータが適切に冷却を行えない位置に移動している可能性がある。このため、サービスマンはサービスモード使用後、速やかにサービスモードを終了する必要がある。
ステップ４２〜ステップ４３において、サービスモード中は庫内灯色をサービスマンもしくはユーザーの注意を引く色、例えば赤や橙に変更することにより、現在サービスモード中であることを強調し、速やかなサービスモードの解除を促すことが可能である。
ステップ４１において、サービスモードでないと判定した場合は、ステップ４４に進み、前回サービスモードであったかどうか、つまり、サービスモードを終了した直後かどうかを判定する。ステップ４４において、前回サービスモードであったと判定した場合は、ステップ４５に進み、庫内灯色をサービスモード開始直前の色に戻す。その後ステップ３に進む。
ステップ４４において、前回サービスモードでなかったと判定した場合は、ステップ３に進む。以降のステップ３〜ステップ７については、実施の形態１と同様のため説明を省略する。
【００２６】
以上のように、実施の形態６ではサービスモード中は、庫内灯色を専用の色に変更するようにしたので、サービスマンやユーザーにサービスモード中であることを強調することが可能であり、速やかなサービスモード解除を促すことができる。
実施の形態６では、サービスモード中、庫内灯色を専用の色に変更する例を示したが、庫内灯色の変更のみではなく、庫内灯の点滅を行い、サービスモードであることをより強調してもよい。
【００２７】
実施の形態７．
図１４はこの発明の実施の形態７における庫内灯動作のフローチャートである。図１４は、図５に示す実施の形態１によるフローチャートにステップ５１〜ステップ５５を追加したものである。
図１４は、ステップ１において、庫内灯色の初期値を例えば白色に決定し、ステップ２において駆動回路１０ａ〜１０ｃのＯＮ／ＯＦＦ条件を「すべてＯＮ」とするまでは、実施の形態１と同様である。
実施の形態７では、ステップ５１において急冷モード中であるかどうかを判定する。ステップ５１で急冷モード中であると判定した場合は、ステップ５２において庫内灯の色を急冷モード専用の色、例えば青や緑に変更する。ステップ５３では、ステップ５２で決定した庫内灯色に従い、駆動回路１０ａ〜１０ｃのＯＮ／ＯＦＦ条件を決定する。
ステップ５１において、急冷モードでないと判定した場合は、ステップ５４に進み、前回急冷モードであったかどうか、つまり、急冷モードを終了した直後かどうかを判定する。ステップ５４において、前回急冷モードであったと判定した場合は、ステップ５５に進み、庫内灯色を急冷モード開始直前の色に戻す。その後ステップ３に進む。
ステップ５４において、前回急冷モードでなかったと判定した場合は、ステップ３に進む。以降のステップ３〜ステップ７については、実施の形態１と同様のため説明を省略する。
【００２８】
以上のように、実施の形態７では急冷モード中は、庫内灯色を専用の色に変更するようにしたので、ユーザーに急冷モード中であること、つまり冷蔵庫の特殊なモードやメリット機能を実施中であることを強調することが可能である。
なお、実施の形態７では、急冷モード中、庫内灯色を専用の色に変更する例を示したが、庫内灯色の変更のみではなく、庫内灯の点滅を行い、急冷モードであることをより強調してもよい。
また、実施の形態７では、急冷モード中、庫内灯色を専用の色に変更する例を示したが、庫内灯色の変更は急冷モードに限らず、節電モード中や脱臭モード中など、その他の各種モードを実施している場合にも適用できる。
【図面の簡単な説明】
【００２９】
【図１】この発明の実施の形態１に係る冷蔵庫の主な構成を示す概略図。
【図２】この発明の実施の形態１に係る冷蔵庫の庫内灯の動作に関わるブロック図。
【図３】この発明の実施の形態１に係る冷蔵庫の庫内灯の点灯／消灯タイミングを示したタイムチャート。
【図４】この発明の実施の形態１に係る冷蔵庫の庫内灯を構成する発光源の点灯／消灯タイミングの一例を示したタイムチャート。
【図５】この発明の実施の形態１における庫内灯動作のフローチャート。
【図６】この発明の実施の形態２における庫内灯動作のフローチャート。
【図７】この発明の実施の形態３におけるＤＵＴＹの設定例を示す表。
【図８】この発明の実施の形態３に係る冷蔵庫の庫内灯を構成する発光源の点灯／消灯タイミングの一例を示したタイムチャート。
【図９】この発明の実施の形態３における庫内灯動作のフローチャート。
【図１０】この発明の実施の形態４における操作部の例示図。
【図１１】この発明の実施の形態４における操作部の別の例示図。
【図１２】この発明の実施の形態５における操作部の例示図。
【図１３】この発明の実施の形態６における庫内灯動作のフローチャート。
【図１４】この発明の実施の形態７における庫内灯動作のフローチャート。
【符号の説明】
【００３０】
１ 冷蔵庫、２ 貯蔵室、２Ａ  貯蔵室扉、３ 庫内灯、４ ドアスイッチ、５ 制御装置（制御基板）、６ 操作パネル、７ａ，７ｂ，７ｃ スイッチ、８ 表示部、９ マイコン、１０ａ，１０ｂ，１０ｃ ＬＥＤ駆動回路、１１ 表示部のバックライト用ＬＥＤ。
【図１】
2008267739.tif 000003
【図２】
2008267739.tif 000004
【図３】
2008267739.tif 000005
【図４】
2008267739.tif 000006
【図５】
2008267739.tif 000007
【図６】
2008267739.tif 000008
【図７】
2008267739.tif 000009
【図８】
2008267739.tif 000010
【図９】
2008267739.tif 000011
【図１０】
2008267739.tif 000012
【図１１】
2008267739.tif 000013
【図１２】
2008267739.tif 000014
【図１３】
2008267739.tif 000015
【図１４】
2008267739.tif 000016